(57)【要約】【課題】  確実に、リモートコントローラからの指示を受け付けることができるようにする。【解決手段】  リモコン受信部３１は、リモートコントローラから送信されてくるコマンドを受信し、向き情報取得部１１２は、自分の向きを示す向き情報を取得する。向き情報付加部１１５は、取得した向き情報を受信したコマンドに付加し、通信部６２は、向き情報が付加されたコマンドを子機に送信する。向き情報が付加されたコマンドを受信した子機は、自分の向きが、コマンドに付加された向き情報が示す向きと同一であるか否かを判定し、同一であると判定された場合、コマンドに従って、所定の処理を実行することで、確実に、リモートコントローラからの指示を受け付けることができるようになる。本発明は、表示システムに適用できる。【選択図】  図６
2006311363.tif 000002
【特許請求の範囲】
【請求項１】
第１の表示装置および第２の表示装置からなる表示システムにおいて、
前記第１の表示装置は、
視聴者の操作に応じて、リモートコントローラから送信されてくるコマンドを受信する第１の受信手段と、
前記表示システムにおける自分の向きを示す第１の情報を取得する第１の取得手段と、
取得した前記第１の情報を、受信した前記コマンドに付加する付加手段と、
前記第１の情報が付加された前記コマンドを前記第２の表示装置に送信する送信手段と
を備え、
前記第２の表示装置は、
前記第１の表示装置から送信されてくる、前記第１の情報が付加された前記コマンドを受信する第２の受信手段と、
前記表示システムにおける自分の向きを示す第２の情報を取得する第２の取得手段と、
前記コマンドに付加された前記第１の情報と、取得した前記第２の情報とを比較することで、自分の向きが前記第１の表示装置の向きと同一であるか否かを判定する判定手段と、
自分の向きが前記第１の表示装置の向きと同一であると判定された場合、前記コマンドに従って、所定の処理を実行する処理手段と
を備えることを特徴とする表示システム。
【請求項２】
視聴者の操作に応じて、リモートコントローラから送信されてくるコマンドを受信する受信手段と、
自分の向きを示す第１の情報を取得する第１の取得手段と、
取得した前記第１の情報を、受信した前記コマンドに付加する付加手段と、
前記第１の情報が付加された前記コマンドを他の表示装置に送信する送信手段と
を備えることを特徴とする表示装置。
【請求項３】
自分の設置された位置を示す第２の情報を取得する第２の取得手段と、
前記他の表示装置から送信されてくる、前記他の表示装置の設置された位置を示す第３の情報および前記他の表示装置の向きを示す第４の情報を受信する第２の受信手段と、
取得した前記第１の情報および前記第２の情報、並びに受信した前記第３の情報および前記第４の情報に基づいて、同一方向を向いている機器の中で、自分が所定の位置に設置されているか否かを判定する判定手段と、
前記所定の位置に設置されていると判定された場合、前記リモートコントローラから送信されてくる前記コマンドを受信し、受信した前記コマンドを前記他の表示装置に送信する第１のモードにモードを変更し、一方、前記所定の位置に設置されていないと判定された場合、前記リモートコントローラから送信されてくる前記コマンドを受信せずに、前記他の表示装置から送信されてくる前記コマンドを受信する第２のモードにモードを変更するモード制御手段と
を備えることを特徴とする請求項２に記載の表示装置。
【請求項４】
前記リモートコントローラから送信されてくる前記コマンドの数を示す第２の情報を記憶する記憶手段と、
前記他の表示装置から送信されてくる、前記他の表示装置が受信した前記コマンドの数を示す第３の情報および前記他の表示装置の向きを示す第４の情報を受信する第２の受信手段と、
取得した前記第１の情報、記憶している前記第２の情報、並びに受信した第３の情報および第４の情報に基づいて、同一方向を向いている機器の中で、自分の前記コマンドの受信状態が最もよいか否かを判定する判定手段と、
自分の受信状態が最もよいと判定された場合、前記リモートコントローラから送信されてくる前記コマンドを受信し、受信した前記コマンドを前記他の表示装置に送信する第１のモードにモードを変更し、一方、自分の受信状態が最もよくならないと判定された場合、前記リモートコントローラから送信されてくる前記コマンドを受信せずに、前記他の表示装置から送信されてくる前記コマンドを受信する第２のモードにモードを変更するモード制御手段と
を備えることを特徴とする請求項２に記載の表示装置。
【請求項５】
視聴者の操作に応じて、リモートコントローラから送信されてくるコマンドの受信を制御する受信制御ステップと、
自分の向きを示す第１の情報を取得する第１の取得ステップと、
取得した前記第１の情報を、受信した前記コマンドに付加する付加ステップと、
前記第１の情報が付加された前記コマンドの他の表示装置への送信を制御する送信制御ステップと
を含むことを特徴とする表示方法。
【請求項６】
視聴者の操作に応じて、リモートコントローラから送信されてくるコマンドの受信を制御する受信制御ステップと、
自分の向きを示す第１の情報を取得する第１の取得ステップと、
取得した前記第１の情報を、受信した前記コマンドに付加する付加ステップと、
前記第１の情報が付加された前記コマンドの他の表示装置への送信を制御する送信制御ステップと
をコンピュータに実行させることを特徴とするプログラム。
【請求項７】
他の表示装置から送信されてくる、リモートコントローラから送信されたコマンドに、前記他の表示装置の向きを示す前記第１の情報が付加された前記コマンドを受信する受信手段と、
自分の向きを示す第２の情報を取得する第１の取得手段と、
前記コマンドに付加された前記第１の情報と、取得した前記第２の情報とを比較することで、自分の向きが前記他の表示装置の向きと同一であるか否かを判定する判定手段と、
自分の向きが前記他の表示装置の向きと同一であると判定された場合、前記コマンドに従って、所定の処理を実行する処理手段と
を備えることを特徴とする表示装置。
【請求項８】
前記受信手段は、前記他の表示装置から送信されてくる、前記第１の情報および前記他の表示装置の設置された位置を示す第３の情報を受信する
ことを特徴とする請求項７に記載の表示装置。
【請求項９】
自分の設置された位置を示す第４の情報を取得する第２の取得手段と、
受信した前記第１の情報および前記第３の情報、並びに取得した前記第２の情報および前記第４の情報に基づいて、同一方向を向いている機器の中で、自分が所定の位置に設置されているか否かを判定する判定手段と、
前記所定の位置に設置されていると判定された場合、前記リモートコントローラから送信されてくる前記コマンドを受信し、受信した前記コマンドを前記他の表示装置に送信する第１のモードにモードを変更し、一方、前記所定の位置に設置されていないと判定された場合、前記リモートコントローラから送信されてくる前記コマンドを受信せずに、前記他の表示装置から送信されてくる前記コマンドを受信する第２のモードにモードを変更するモード制御手段と
を備えることを特徴とする請求項８に記載の表示装置。
【請求項１０】
前記受信手段は、前記他の表示装置から送信されてくる、前記第１の情報および前記他の表示装置が受信した前記コマンドの数を示す第３の情報を受信する
ことを特徴とする請求項７に記載の表示装置。
【請求項１１】
前記リモートコントローラから送信されてくる前記コマンドの数を示す第４の情報を記憶する記憶手段と、
受信した第１の情報および第３の情報、取得した前記第２の情報、並びに記憶している前記第４の情報に基づいて、同一方向を向いている機器の中で、自分の前記コマンドの受信状態が最もよいか否かを判定する判定手段と、
自分の受信状態が最もよいと判定された場合、前記リモートコントローラから送信されてくる前記コマンドを受信し、受信した前記コマンドを前記他の表示装置に送信する第１のモードにモードを変更し、一方、自分の受信状態が最もよくならないと判定された場合、前記リモートコントローラから送信されてくる前記コマンドを受信せずに、前記他の表示装置から送信されてくる前記コマンドを受信する第２のモードにモードを変更するモード制御手段と
を備えることを特徴とする請求項１０に記載の表示装置。
【請求項１２】
他の表示装置から送信されてくる、リモートコントローラから送信されたコマンドに、前記他の表示装置の向きを示す前記第１の情報が付加された前記コマンドの受信を制御する受信制御ステップと、
自分の向きを示す第２の情報を取得する第１の取得ステップと、
前記コマンドに付加された前記第１の情報と、取得した前記第２の情報とを比較することで、自分の向きが前記他の表示装置の向きと同一であるか否かを判定する判定ステップと、
自分の向きが前記他の表示装置の向きと同一であると判定された場合、前記コマンドに従って、所定の処理を実行する処理ステップと
を含むことを特徴とする表示方法。
【請求項１３】
他の表示装置から送信されてくる、リモートコントローラから送信されたコマンドに、前記他の表示装置の向きを示す前記第１の情報が付加された前記コマンドの受信を制御する受信制御ステップと、
自分の向きを示す第２の情報を取得する第１の取得ステップと、
前記コマンドに付加された前記第１の情報と、取得した前記第２の情報とを比較することで、自分の向きが前記他の表示装置の向きと同一であるか否かを判定する判定ステップと、
自分の向きが前記他の表示装置の向きと同一であると判定された場合、前記コマンドに従って、所定の処理を実行する処理ステップと
をコンピュータに実行させることを特徴とするプログラム。
【請求項１４】
請求項６または請求項１３に記載のプログラムを記録している記録媒体。
【発明の詳細な説明】
【技術分野】
【０００１】
本発明は、表示システム、表示装置および方法、記録媒体、並びにプログラムに関し、特に、複数の表示装置を接続して使用した場合に、確実に、リモートコントローラからの指示を受け付けることができるようにした表示システム、表示装置および方法、記録媒体、並びにプログラムに関する。
【背景技術】
【０００２】
例えば、テレビジョン受像機においては、テレビジョン放送信号が受信され、テレビジョン放送番組としての画像が表示されるとともに、その画像に付随する音声が出力される。また、複数のテレビジョン受像機を接続することで、単体で動作する場合にはできなかった機能を実現しているものもある。
【０００３】
さらに、他の表示装置が接続されたことを検出し、検出された他の表示装置との間で認証を行い、認証が成功した場合に、自分の機能を変化させる表示装置もある（例えば、特許文献１）。
【０００４】
【特許文献１】特開２００３−１９５８４３号公報
【発明の開示】
【発明が解決しようとする課題】
【０００５】
しかしながら、複数のテレビジョン受像機を接続した場合に、視聴者の指示によるリモートコントローラの操作を受け付けることができない可能性があるという問題があった。
【０００６】
例えば、複数のテレビジョン受像機を接続して使用する場合において、接続されたテレビジョン受像機の一部または全部を回転して使用するとき、接続されたテレビジョン受像機の位置によって、リモートコントローラからのコマンドの受信状態に違いがでる可能性があり、視聴者の指示によるリモートコントローラの操作を受け付けることができない可能性があった。
【０００７】
本発明はこのような状況に鑑みてなされたものであり、確実に、リモートコントローラからの指示を受け付けることができるようにするものである。
【課題を解決するための手段】
【０００８】
本発明の表示システムは、第１の表示装置が、視聴者の操作に応じて、リモートコントローラから送信されてくるコマンドを受信する第１の受信手段と、表示システムにおける自分の向きを示す第１の情報を取得する第１の取得手段と、取得した第１の情報を、受信したコマンドに付加する付加手段と、第１の情報が付加されたコマンドを第２の表示装置に送信する送信手段とを備え、第２の表示装置が、第１の表示装置から送信されてくる、第１の情報が付加されたコマンドを受信する第２の受信手段と、表示システムにおける自分の向きを示す第２の情報を取得する第２の取得手段と、コマンドに付加された第１の情報と、取得した第２の情報とを比較することで、自分の向きが第１の表示装置の向きと同一であるか否かを判定する判定手段と、自分の向きが第１の表示装置の向きと同一であると判定された場合、コマンドに従って、所定の処理を実行する処理手段とを備えることを特徴とする。
【０００９】
本発明の表示システムにおいては、第１の表示装置によって、視聴者の操作に応じて、リモートコントローラから送信されてくるコマンドが受信され、表示システムにおける自分の向きを示す第１の情報が取得され、取得した第１の情報が、受信したコマンドに付加され、第１の情報が付加されたコマンドが第２の表示装置に送信され、第２の表示装置によって、第１の表示装置から送信されてくる、第１の情報が付加されたコマンドが受信され、表示システムにおける自分の向きを示す第２の情報が取得され、コマンドに付加された第１の情報と、取得した第２の情報とを比較することで、自分の向きが第１の表示装置の向きと同一であるか否かが判定され、自分の向きが第１の表示装置の向きと同一であると判定された場合、コマンドに従って、所定の処理が実行される。
【００１０】
本発明の第１の表示装置は、視聴者の操作に応じて、リモートコントローラから送信されてくるコマンドを受信する受信手段と、自分の向きを示す第１の情報を取得する第１の取得手段と、取得した第１の情報を、受信したコマンドに付加する付加手段と、第１の情報が付加されたコマンドを他の表示装置に送信する送信手段とを備えるようにすることができる。
【００１１】
自分の設置された位置を示す第２の情報を取得する第２の取得手段と、他の表示装置から送信されてくる、他の表示装置の設置された位置を示す第３の情報および他の表示装置の向きを示す第４の情報を受信する第２の受信手段と、取得した第１の情報および第２の情報、並びに受信した第３の情報および第４の情報に基づいて、同一方向を向いている機器の中で、自分が所定の位置に設置されているか否かを判定する判定手段と、所定の位置に設置されていると判定された場合、リモートコントローラから送信されてくるコマンドを受信し、受信したコマンドを他の表示装置に送信する第１のモードにモードを変更し、一方、所定の位置に設置されていないと判定された場合、リモートコントローラから送信されてくるコマンドを受信せずに、他の表示装置から送信されてくるコマンドを受信する第２のモードにモードを変更するモード制御手段とを備えるようにすることができる。
【００１２】
リモートコントローラから送信されてくるコマンドの数を示す第２の情報を記憶する記憶手段と、他の表示装置から送信されてくる、他の表示装置が受信したコマンドの数を示す第３の情報および他の表示装置の向きを示す第４の情報を受信する第２の受信手段と、取得した第１の情報、記憶している第２の情報、並びに受信した第３の情報および第４の情報に基づいて、同一方向を向いている機器の中で、自分のコマンドの受信状態が最もよいか否かを判定する判定手段と、自分の受信状態が最もよいと判定された場合、リモートコントローラから送信されてくるコマンドを受信し、受信したコマンドを他の表示装置に送信する第１のモードにモードを変更し、一方、自分の受信状態が最もよくならないと判定された場合、リモートコントローラから送信されてくるコマンドを受信せずに、他の表示装置から送信されてくるコマンドを受信する第２のモードにモードを変更するモード制御手段とを備えるようにすることができる。
【００１３】
本発明の第１の表示方法は、視聴者の操作に応じて、リモートコントローラから送信されてくるコマンドの受信を制御する受信制御ステップと、自分の向きを示す第１の情報を取得する第１の取得ステップと、取得した第１の情報を、受信したコマンドに付加する付加ステップと、第１の情報が付加されたコマンドの他の表示装置への送信を制御する送信制御ステップとを含むことを特徴とする。
【００１４】
本発明の第１のプログラムは、視聴者の操作に応じて、リモートコントローラから送信されてくるコマンドの受信を制御する受信制御ステップと、自分の向きを示す第１の情報を取得する第１の取得ステップと、取得した第１の情報を、受信したコマンドに付加する付加ステップと、第１の情報が付加されたコマンドの他の表示装置への送信を制御する送信制御ステップとをコンピュータに実行させることを特徴とする。
【００１５】
本発明の第１の表示装置および表示方法、記録媒体、並びにプログラムにおいては、視聴者の操作に応じて、リモートコントローラから送信されてくるコマンドが受信され、自分の向きを示す第１の情報が取得され、取得した第１の情報が、受信したコマンドに付加され、第１の情報が付加されたコマンドが他の表示装置に送信される。
【００１６】
本発明の第２の表示装置は、他の表示装置から送信されてくる、リモートコントローラから送信されたコマンドに、他の表示装置の向きを示す第１の情報が付加されたコマンドを受信する受信手段と、自分の向きを示す第２の情報を取得する第１の取得手段と、コマンドに付加された第１の情報と、取得した第２の情報とを比較することで、自分の向きが他の表示装置の向きと同一であるか否かを判定する判定手段と、自分の向きが他の表示装置の向きと同一であると判定された場合、コマンドに従って、所定の処理を実行する処理手段とを備えることを特徴とする。
【００１７】
受信手段は、他の表示装置から送信されてくる、第１の情報および他の表示装置の設置された位置を示す第３の情報を受信することができる。
【００１８】
自分の設置された位置を示す第４の情報を取得する第２の取得手段と、受信した第１の情報および第３の情報、並びに取得した第２の情報および第４の情報に基づいて、同一方向を向いている機器の中で、自分が所定の位置に設置されているか否かを判定する判定手段と、所定の位置に設置されていると判定された場合、リモートコントローラから送信されてくるコマンドを受信し、受信したコマンドを他の表示装置に送信する第１のモードにモードを変更し、一方、所定の位置に設置されていないと判定された場合、リモートコントローラから送信されてくるコマンドを受信せずに、他の表示装置から送信されてくるコマンドを受信する第２のモードにモードを変更するモード制御手段とを備えるようにすることができる。
【００１９】
受信手段は、他の表示装置から送信されてくる、第１の情報および他の表示装置が受信したコマンドの数を示す第３の情報を受信することができる。
【００２０】
リモートコントローラから送信されてくるコマンドの数を示す第４の情報を記憶する記憶手段と、受信した第１の情報および第３の情報、取得した第２の情報、並びに記憶している第４の情報に基づいて、同一方向を向いている機器の中で、自分のコマンドの受信状態が最もよいか否かを判定する判定手段と、自分の受信状態が最もよいと判定された場合、リモートコントローラから送信されてくるコマンドを受信し、受信したコマンドを他の表示装置に送信する第１のモードにモードを変更し、一方、自分の受信状態が最もよくならないと判定された場合、リモートコントローラから送信されてくるコマンドを受信せずに、他の表示装置から送信されてくるコマンドを受信する第２のモードにモードを変更するモード制御手段とを備えるようにすることができる。
【００２１】
本発明の第２の表示方法は、他の表示装置から送信されてくる、リモートコントローラから送信されたコマンドに、他の表示装置の向きを示す第１の情報が付加されたコマンドの受信を制御する受信制御ステップと、自分の向きを示す第２の情報を取得する第１の取得ステップと、コマンドに付加された第１の情報と、取得した第２の情報とを比較することで、自分の向きが他の表示装置の向きと同一であるか否かを判定する判定ステップと、自分の向きが他の表示装置の向きと同一であると判定された場合、コマンドに従って、所定の処理を実行する処理ステップとを含むことを特徴とする。
【００２２】
本発明の第２のプログラムは、他の表示装置から送信されてくる、リモートコントローラから送信されたコマンドに、他の表示装置の向きを示す第１の情報が付加されたコマンドの受信を制御する受信制御ステップと、自分の向きを示す第２の情報を取得する第１の取得ステップと、コマンドに付加された第１の情報と、取得した第２の情報とを比較することで、自分の向きが他の表示装置の向きと同一であるか否かを判定する判定ステップと、自分の向きが他の表示装置の向きと同一であると判定された場合、コマンドに従って、所定の処理を実行する処理ステップとをコンピュータに実行させることを特徴とする。
【００２３】
本発明の第２の表示装置および表示方法、記録媒体、並びにプログラムにおいては、他の表示装置から送信されてくる、リモートコントローラから送信されたコマンドに、他の表示装置の向きを示す第１の情報が付加されたコマンドが受信され、自分の向きを示す第２の情報が取得され、コマンドに付加された第１の情報と、取得した第２の情報とを比較することで、自分の向きが他の表示装置の向きと同一であるか否かが判定され、自分の向きが他の表示装置の向きと同一であると判定された場合、コマンドに従って、所定の処理が実行される。
【発明の効果】
【００２４】
本発明によれば、リモートコントローラからの指示を受け付けることができる。また、本発明によれば、確実に、リモートコントローラからの指示を受け付けることができる。
【発明を実施するための最良の形態】
【００２５】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応していないものであることを意味するものではない。
【００２６】
さらに、この記載は、明細書に記載されている発明の全てを意味するものではない。換言すれば、この記載は、明細書に記載されている発明であって、この出願では請求されていない発明の存在、即ち、将来、分割出願されたり、補正により出現し、追加される発明の存在を否定するものではない。
【００２７】
本発明によれば、表示システムが提供される。この表示システム（例えば、図１のディスプレイセット１１）においては、第１の表示装置（例えば、図３の親機２１）が、視聴者の操作に応じて、リモートコントローラ（例えば、図１のリモコン１２）から送信されてくるコマンド（例えば、リモコンコマンド）を受信する第１の受信手段（例えば、図６のリモコン受光部３１）と、表示システムにおける自分の向きを示す第１の情報（例えば、向き情報）を取得する第１の取得手段（例えば、図６の向き情報取得部１１２）と、取得した第１の情報を、受信したコマンドに付加する付加手段（例えば、図６の向き情報付加部１１５）と、第１の情報が付加されたコマンドを第２の表示装置に送信する送信手段（例えば、図６の送信部１２１）とを備え、第２の表示装置（例えば、図３の子機２２）が、第１の表示装置から送信されてくる、第１の情報が付加されたコマンドを受信する第２の受信手段（例えば、図７の通信部６２）と、表示システムにおける自分の向きを示す第２の情報（例えば、向き情報）を取得する第２の取得手段（例えば、図７の向き情報取得部１１２）と、コマンドに付加された第１の情報と、取得した第２の情報とを比較することで、自分の向きが第１の表示装置の向きと同一であるか否かを判定する判定手段（例えば、図７の向き情報判定部１６５）と、自分の向きが第１の表示装置の向きと同一であると判定された場合、コマンドに従って、所定の処理を実行する処理手段（例えば、図７のアプリケーション処理部１０３）とを備える。
【００２８】
本発明によれば、表示装置が提供される。この表示装置（例えば、図３の親機２１）は、視聴者の操作に応じて、リモートコントローラ（例えば、図１のリモコン１２）から送信されてくるコマンド（例えば、リモコンコマンド）を受信する受信手段（例えば、図６のリモコン受光部３１）と、自分の向きを示す第１の情報（例えば、向き情報）を取得する第１の取得手段（例えば、図６の向き情報取得部１１２）と、取得した第１の情報を、受信したコマンドに付加する付加手段（例えば、図６の向き情報付加部１１５）と、第１の情報が付加されたコマンドを他の表示装置（例えば、子機２２）に送信する送信手段（例えば、図６の送信部１２１）とを備える。
【００２９】
表示装置（例えば、図３の親機２１）は、自分の設置された位置を示す第２の情報（例えば、位置情報）を取得する第２の取得手段（例えば、図６の位置情報取得部１１１）と、他の表示装置から送信されてくる、他の表示装置の設置された位置を示す第３の情報（例えば、位置情報）および他の表示装置の向きを示す第４の情報（例えば、向き情報）を受信する第２の受信手段（例えば、図６の受信部１２２）と、取得した第１の情報および第２の情報、並びに受信した第３の情報および第４の情報に基づいて、同一方向を向いている機器の中で、自分が所定の位置に設置されているか否かを判定する判定手段（例えば、図６の分配元判定部１１３）と、所定の位置に設置されていると判定された場合、リモートコントローラから送信されてくるコマンドを受信し、受信したコマンドを他の表示装置に送信する第１のモード（例えば、コマンド分配者モード）にモードを変更し、一方、所定の位置に設置されていないと判定された場合、リモートコントローラから送信されてくるコマンドを受信せずに、他の表示装置から送信されてくるコマンドを受信する第２のモード（例えば、コマンド受信者モード）にモードを変更するモード制御手段（例えば、図６のモード制御部１１４）とを備える。
【００３０】
表示装置（例えば、図３の親機２１）は、リモートコントローラから送信されてくるコマンドの数を示す第２の情報（例えば、コマンド数）を記憶する記憶手段（例えば、図６の受信状態履歴管理部１０２）と、他の表示装置から送信されてくる、他の表示装置が受信したコマンドの数を示す第３の情報（例えば、コマンド数）および他の表示装置の向きを示す第４の情報（例えば、向き情報）を受信する第２の受信手段（例えば、図６の受信部１２２）と、取得した第１の情報、記憶している第２の情報、並びに受信した第３の情報および第４の情報に基づいて、同一方向を向いている機器の中で、自分のコマンドの受信状態が最もよいか否かを判定する判定手段（例えば、図６の分配元判定部１１３）と、自分の受信状態が最もよいと判定された場合、リモートコントローラから送信されてくるコマンドを受信し、受信したコマンドを他の表示装置に送信する第１のモード（例えば、コマンド分配者モード）にモードを変更し、一方、自分の受信状態が最もよくならないと判定された場合、リモートコントローラから送信されてくるコマンドを受信せずに、他の表示装置から送信されてくるコマンドを受信する第２のモード（例えば、コマンド受信者モード）にモードを変更するモード制御手段（例えば、図６のモード制御部１１４）とを備える。
【００３１】
本発明によれば、表示方法が提供される。この表示方法は、視聴者の操作に応じて、リモートコントローラから送信されてくるコマンドの受信を制御する受信制御ステップ（例えば、図１２のステップＳ５１の処理）と、自分の向きを示す第１の情報を取得する第１の取得ステップ（例えば、図１２のステップＳ５２の処理）と、取得した第１の情報を、受信したコマンドに付加する付加ステップ（例えば、図１２のステップＳ５３の処理）と、第１の情報が付加されたコマンドの他の表示装置への送信を制御する送信制御ステップ（例えば、図１２のステップＳ５４の処理）とを含む。
【００３２】
本発明によれば、プログラムが提供される。このプログラムは、視聴者の操作に応じて、リモートコントローラから送信されてくるコマンドの受信を制御する受信制御ステップ（例えば、図１２のステップＳ５１の処理）と、自分の向きを示す第１の情報を取得する第１の取得ステップ（例えば、図１２のステップＳ５２の処理）と、取得した第１の情報を、受信したコマンドに付加する付加ステップ（例えば、図１２のステップＳ５３の処理）と、第１の情報が付加されたコマンドの他の表示装置への送信を制御する送信制御ステップ（例えば、図１２のステップＳ５４の処理）とを実行させる。
【００３３】
本発明によれば表示装置が提供される。この表示装置（例えば、図３の子機２２）は、他の表示装置（例えば、図３の親機２１）から送信されてくる、リモートコントローラ（例えば、図１のリモコン１２）から送信されたコマンド（例えば、リモコンコマンド）に、他の表示装置の向きを示す第１の情報（例えば、向き情報）が付加されたコマンドを受信する受信手段（例えば、図７の受信部１２２）と自分の向きを示す第２の情報（例えば、向き情報）を取得する第１の取得手段（例えば、図７の向き情報所得部１１２）と、コマンドに付加された第１の情報と、取得した第２の情報とを比較することで、自分の向きが他の表示装置の向きと同一であるか否かを判定する判定手段（例えば、図７の向き情報判定部１６１）と、自分の向きが他の表示装置の向きと同一であると判定された場合、コマンドに従って、所定の処理を実行する処理手段（例えば、図７のアプリケーション処理部１０３）とを備える。
【００３４】
受信手段は、他の表示装置から送信されてくる、第１の情報および他の表示装置の設置された位置を示す第３の情報（例えば、位置情報）を受信することができる。
【００３５】
表示装置（例えば、図３の子機２２）は、自分の設置された位置を示す第４の情報（例えば、位置情報）を取得する第２の取得手段（例えば、図７の位置情報取得部１１１）と、受信した第１の情報および第３の情報、並びに取得した第２の情報および第４の情報に基づいて、同一方向を向いている機器の中で、自分が所定の位置に設置されているか否かを判定する判定手段（例えば、図７の分配元判定部１１３）と、所定の位置に設置されていると判定された場合、リモートコントローラから送信されてくるコマンドを受信し、受信したコマンドを他の表示装置に送信する第１のモード（例えば、コマンド分配者モード）にモードを変更し、一方、所定の位置に設置されていないと判定された場合、リモートコントローラから送信されてくるコマンドを受信せずに、他の表示装置から送信されてくるコマンドを受信する第２のモード（例えば、コマンド受信者モード）にモードを変更するモード制御手段（例えば、図７のモード制御部１１４）とを備える。
【００３６】
受信手段は、他の表示装置から送信されてくる、第１の情報および他の表示装置が受信したコマンドの数を示す第３の情報（例えば、コマンド数）を受信することができる。
【００３７】
表示装置（例えば、図３の子機２２）は、リモートコントローラから送信されてくるコマンドの数を示す第４の情報（例えば、コマンド数）を記憶する記憶手段（例えば、図７の受信状態履歴管理部１０２）と、受信した第１の情報および第３の情報、取得した第２の情報、並びに記憶している第４の情報に基づいて、同一方向を向いている機器の中で、自分のコマンドの受信状態が最もよいか否かを判定する判定手段（例えば、図７の分配元判定部１１３）と、自分の受信状態が最もよいと判定された場合、リモートコントローラから送信されてくるコマンドを受信し、受信したコマンドを他の表示装置に送信する第１のモード（例えば、コマンド分配者モード）にモードを変更し、一方、自分の受信状態が最もよくならないと判定された場合、リモートコントローラから送信されてくるコマンドを受信せずに、他の表示装置から送信されてくるコマンドを受信する第２のモード（例えば、コマンド受信者モード）にモードを変更するモード制御手段（例えば、図７のモード制御部１１４）とを備える。
【００３８】
本発明によれば、表示方法が提供される。この表示方法は、他の表示装置から送信されてくる、リモートコントローラから送信されたコマンドに、他の表示装置の向きを示す第１の情報が付加されたコマンドの受信を制御する受信制御ステップ（例えば、図１４のステップＳ７１の処理）と、自分の向きを示す第２の情報を取得する第１の取得ステップ（例えば、図１４のステップＳ７２の処理）と、コマンドに付加された第１の情報と、取得した第２の情報とを比較することで、自分の向きが他の表示装置の向きと同一であるか否かを判定する判定ステップ（例えば、図１４のステップＳ７３の処理）と、自分の向きが他の表示装置の向きと同一であると判定された場合、コマンドに従って、所定の処理を実行する処理ステップ（例えば、図１４のステップＳ７４の処理）とを含む。
【００３９】
本発明によれば、プログラムが提供される。このプログラムは、他の表示装置から送信されてくる、リモートコントローラから送信されたコマンドに、他の表示装置の向きを示す第１の情報が付加されたコマンドの受信を制御する受信制御ステップ（例えば、図１４のステップＳ７１の処理）と、自分の向きを示す第２の情報を取得する第１の取得ステップ（例えば、図１４のステップＳ７２の処理）と、コマンドに付加された第１の情報と、取得した第２の情報とを比較することで、自分の向きが他の表示装置の向きと同一であるか否かを判定する判定ステップ（例えば、図１４のステップＳ７３の処理）と、自分の向きが他の表示装置の向きと同一であると判定された場合、コマンドに従って、所定の処理を実行する処理ステップ（例えば、図１４のステップＳ７４の処理）とを実行させる。
【００４０】
このプログラムは、記録媒体（例えば、図１７の磁気ディスク２２１）に記録することができる。
【００４１】
以下、図面を参照しながら本発明の実施の形態について説明する。
【００４２】
図１は、ディスプレイセット１１の外観を示す図である。このディスプレイセット１１は、複数のテレビジョン受像機（後述する親機２１または子機２２）を組み合わせることによって構成される、本発明の表示システムの一例である。また、複数のテレビジョン受像機（後述する親機２１または子機２２）は、本発明の表示装置の一例である。
【００４３】
これらのテレビジョン受像機は、例えば、イーサーネットの規格に準拠したLAN（Local Area Network）、IEEE（The Institute of Electrical and Electronic Engineers , Inc.）802.11規格に準拠した無線LAN、またはIEEE 1394、USB（Universal Serial Bus）、若しくはRS-232C（Recommended Standard 232 version C）などによるシリアル通信などによって接続されている。
【００４４】
ディスプレイセット１１は、複数のテレビジョン受像機を組み合わせることで、それらのテレビジョン受像機のそれぞれが、アンテナ（図示せず）で受信されたテレビジョン放送信号における画像をディスプレイ（後述する表示部５８）によって表示させ、また、その画像に付随する音声をスピーカ（後述するスピーカ６０）から出力させる。
【００４５】
例えば、ディスプレイセット１１は、縦×横が、３×３台のテレビジョン受像機を組み合わせることで、３×３台のテレビジョン受像機のディスプレイ全体に、テレビジョン受信信号における画像の全体を拡大した画像を表示させ、また、その画像に付随する音声をスピーカから出力させる。
【００４６】
また、詳細は後述するが、ディスプレイセット１１は、組み合わされた各テレビジョン受像機のそれぞれが回転することで、表面と裏面の両面での視聴が可能となる。例えば、図１で示されるように、視聴者は、図中左側のディスプレイセット１１の表面と、図中右側のディスプレイセット１１の裏面との両面での視聴が可能となる。さらに、ディスプレイセット１１は、組み合わされたテレビジョン受像機のうち、一部のテレビジョン受像機を取り外すことも可能となる。
【００４７】
例えば、ディスプレイセット１１は、縦×横が、３×３台のテレビジョン受像機を組み合わせた場合に、中央（左から２番目の列）の３台のテレビジョン受像機を裏面に回転させたとき、図中左側にいる視聴者は、回転していない表面を向いている左側（左から１番目の列）と右側（左から３番目の列）の６台のテレビジョン受像機のディスプレイを視聴することが可能となり、また、図中右側にいる視聴者は、回転して裏面を向いている中央の３台のテレビジョン受像機のディスプレイを視聴することが可能となる。
【００４８】
リモートコントローラ（以下、リモコンと称する）１２は、視聴者の操作に対応する、赤外線や電波による操作信号（以下、リモコンコマンドと称する）を、ディスプレイセット１１として組み合わされた複数のテレビジョン受像機のそれぞれに送信する。例えば、リモコン１２は、視聴者の操作に対応する、電源のオンオフ、チャンネルの変更、音量の調節、または明るさの調節などのリモコンコマンドを、ディスプレイセット１１として組み合わされた複数のテレビジョン受像機のそれぞれに送信する。
【００４９】
ディスプレイセット１１に組み合わされた複数のテレビジョン受像機のそれぞれは、リモコン１２から送信されてくるリモコンコマンドを受信し、受信したリモコンコマンドに応じた処理を実行する。例えば、複数のテレビジョン受像機のそれぞれは、視聴者がリモコン１２の電源オフボタンを押下した場合、リモコン１２から送信されてくる、“電源オフ”を示すリモコンコマンドを受信し、受信したコマンドに応じて、自分の電源をオフする。
【００５０】
ところで、ディスプレイセット１１の一部のテレビジョン受像機を回転させたり、取り外したりすることで、ディスプレイセット１１の表面と裏面との両面で視聴をする場合、図中左側の表面を向いているテレビジョン受像機を視聴している視聴者と、図中右側の裏面を向いているテレビジョン受像機を視聴している視聴者とは、異なる視聴者となるので、例えば、図中左側の視聴者がテレビジョン受像機の電源をオフにしたい場合であっても、図中右側の視聴者がテレビジョン受像機の電源をオフしたいと考えているとは限らず、リモコン１２に対して行う操作が一致しない場合がほとんどである。
【００５１】
即ち、図中左側にいる視聴者がリモコン１２を操作した場合、表面を向いているテレビジョン受像機のみが、リモコン１２から送信されてくるリモコンコマンドに応じた処理を実行し、裏側を向いているテレビジョン受像機は処理を実行しないようにし、逆に、図中右側にいる視聴者がリモコン１２を操作した場合、裏面を向いているテレビジョン受像機のみが、リモコン１２から送信されてくるリモコンコマンドに応じた処理を実行し、表面を向いているテレビジョン受像機は処理を実行しないようにする必要がある。
【００５２】
従って、図２乃至図４を参照して、視聴者の操作によって、リモコン１２からのリモコンコマンドを受信するディスプレイセット１１の詳細について説明する。
【００５３】
まず、図２を参照して、ディスプレイセット１１における、表面と裏面を向いているテレビジョン受像機のグループ分けについて説明する。
【００５４】
図２で示される例において、ディスプレイセット１１は、３×３台、即ち、９台のテレビジョン受像機を組み合わせることによって構成される。図２Ａは、ディスプレイセット１１に組み合わされた９台の全てのテレビジョン受像機が表面を向いている例を示し、図２Ｂは、ディスプレイセット１１に組み合わされた９台のテレビジョン受像機のうち、左側（左から１番目の列）と右側（左から３番目の列）の６台のテレビジョン受像機が表面を向いて、残りの中央（左から２番目の列）の３台のテレビジョン受像機が裏面を向いている例を示す。
【００５５】
図２Ａで示される例において、ディスプレイセット１１に組み合わされた９台のテレビジョン受像機が全て表面を向いているので、リモコン１２から送信されてくるリモコンコマンドを受信する場合に、表面と裏面とを分けて処理をする必要がないので、例えば、表面を向いている９台のテレビジョン受像機をまとめてグループ１とする。
【００５６】
図２Ａで示される例においては、視聴者が表面を向いているテレビジョン受像機に向かってリモコン１２を操作した場合、グループ１の９台のテレビジョン受像機がリモコン１２からのリモコンコマンドに応じた処理を実行することで、表面を向いているテレビジョン受像機を操作することになる。
【００５７】
また、図２Ｂで示される例において、ディスプレイセット１１に組み合わされた９台のテレビジョン受像機のうち、左側と右側の６台のテレビジョン受像機が表面を向いて、残りの中央の３台のテレビジョン受像機が裏面を向いているので、リモコン１２から送信されてくるリモコンコマンドを受信する場合に、表面と裏面とを分けて処理をする必要があるので、例えば、左側の１列と右側の６台のテレビジョン受像機をまとめてグループ１とし、残りの中央の３台のテレビジョン受像機をまとめてグループ２とする。
【００５８】
図２Ｂで示される例においては、視聴者が表面を向いているテレビジョン受像機に向かってリモコン１２を操作した場合、グループ１の６台のテレビジョン受像機がリモコン１２からのリモコンコマンドに応じた処理を実行することで、表面を向いているテレビジョン受像機を操作することになる。また、視聴者が裏面を向いているテレビジョン受像機に向かってリモコン１２を操作した場合、グループ２の３台のテレビジョン受像機がリモコン１２からのリモコンコマンドに応じた処理を実行することで、裏面を向いているテレビジョン受像機を操作することになる。
【００５９】
このように、表面と裏面とに分けてテレビジョン受像機をグループ化することで、視聴者は、リモコン１２を操作する場合に、例えば、電源のオンオフ、チャンネルの変更、音量の調節、または明るさの調節などのリモコンコマンドを、表面または裏面のグループのいずれか一方に送信することになり、そのグループ内で同様の処理を実行させることになる。
【００６０】
具体的には、例えば、ディスプレイセット１１において表面を向いているテレビジョン受像機に向かって、視聴者がリモコン１２の電源オフボタンを押下した場合、表面を向いているグループ１のテレビジョン受像機の電源がオフになるが、裏面を向いているグループ２のテレビジョン受像機の電源はオフとならずにそのまま動作することになる。一方、ディスプレイセット１１において裏面を向いているテレビジョン受像機に向かって、視聴者がリモコン１２の電源オフボタンを押下した場合、裏面を向いているグループ２のテレビジョン受像機の電源がオフになるが、表面を向いているグループ１のテレビジョン受像機の電源はオフとならずにそのまま動作することになる。
【００６１】
ところで、ディスプレイセット１１を構成するテレビジョン受像機には、リモコン１２から受信したリモコンコマンドを、自分以外の他のテレビジョン受像機に送信してリモコンコマンドを実行させることができる親のテレビジョン受像機（以下、適宜、親機と称する）と、他のテレビジョン受像機（親機）から送信されてくるリモコンコマンドを受信して実行することができる子のテレビジョン受像機（以下、適宜、子機と称する）の２種類が存在する。
【００６２】
従って、次に、図３および図４を参照して、ディスプレイセット１１における親機と子機との関係について説明する。まず、図３を参照して、ディスプレイセット１１を構成するテレビジョン受像機が全て表面を向いている場合の親機と子機との関係について説明する。
【００６３】
図３で示される例においては、３×３台のテレビジョン受像機の全てが表面を向いている。また、３×３台のテレビジョン受像機のうち、左下（左から１番目で上から３番目）に配置されているテレビジョン受像機２１11が親機となっており、他の８台のテレビジョン受像機２２12，２２13，２２21，２２22，２２23，２２31，２２32，２２33が子機になっている。
【００６４】
また、３×３台のテレビジョン受像機のそれぞれには、赤外線や電波によって、リモコン１２から送信されてくるリモコンコマンドを受信（受光）するリモコン受光部３１11，３１12，３１13，３１21，３１22，３１23，３１31，３１32，３１33がそれぞれ設けられている。
【００６５】
図３で示される例において、リモコン受光部３１11乃至３１33のうち、親機２１11のリモコン受光部３１11（左から１番目で上から３番目の黒の四角）が有効となることで、リモコン１２から送信されてくるリモコンコマンドを受信し、それ以外の、子機２２12のリモコン受光部３１12乃至子機２２33のリモコン受光部３１33のそれぞれが無効となることで、リモコン１２から送信されてくるリモコンコマンドを受信せずに、親機２１11から送信されてくるリモコンコマンドに従って動作する。
【００６６】
なお、ここで、有効とは、リモコン受光部３１11乃至３１33のそれぞれにおいて、リモコン１２から送信されてくるリモコンコマンドを受信できることを示し、無効とは、リモコン受光部３１11乃至３１33のそれぞれにおいて、リモコン１２から送信されてくるリモコンコマンドを受信できないことを示す。
【００６７】
即ち、親機２１11は、リモコン受光部３１11でリモコン１２からのリモコンコマンドを受信し、受信したリモコンコマンドを、例えば、イーサーネットの規格に準拠したLANなどで接続された子機２２12乃至子機２２33に分配することで分配する。
【００６８】
なお、上述した例においては、左下（左から１番目で上から３番目）に配置されたテレビジョン受像機２１11を親機として説明したが、それに限定されず、他の８台のテレビジョン受像機２２12，２２13，２２21，２２22，２２23，２２31，２２32，２２33のうちのいずれか１台が親機となるようにしてもよい。
【００６９】
次に、図４を参照して、ディスプレイセット１１を構成するテレビジョン受像機のうち、一部のテレビジョン受像機が裏側を向いている場合の親機と子機との関係について説明する。図３に示す場合と同様の部分には、同一の符号が付してあり、その説明は（適宜）省略する。
【００７０】
図４で示される例においては、３×３台のテレビジョン受像機のうち、テレビジョン受像機２１11，２２12，２２13，２２21，２２32，２２33が表面を向いており、テレビジョン受像機２２22，２２23，２１31が裏面を向いている。
【００７１】
表面を向いているテレビジョン受像機のうち、左下（左から１番目で上から３番目）に配置されているテレビジョン受像機２１11が親機となっており、他の５台のテレビジョン受像機２２12，２２13，２２21，２２32，２２33が子機になっている。
【００７２】
図４で示される例において、表面を向いているテレビジョン受像機のリモコン受光部３１11，３１12，３１13，３１21，３１32，３１33のうち、親機２１11のリモコン受光部３１11（左から１番目で上から３番目の黒の四角）が有効となることで、リモコン１２から送信されてくるリモコンコマンドを受信し、それ以外の、子機２２12のリモコン受光部３１12、子機２２13のリモコン受光部３１13、子機２２21のリモコン受光部３１21、子機２２32のリモコン受光部３１32、および子機２２33のリモコン受光部３１33のそれぞれが無効となることで、リモコン１２から送信されてくるリモコンコマンドを受信せずに、親機２１11から送信されてくるリモコンコマンドに従って動作する。
【００７３】
即ち、親機２１11は、リモコン受光部３１11でリモコン１２からのリモコンコマンドを受信し、受信したリモコンコマンドを、例えば、イーサーネットの規格に準拠したLANなどで接続された子機２２12，子機２２13，子機２２21，子機２２32，子機２２33に送信することで分配する。
【００７４】
また、裏面を向いているテレビジョン受像機のうち、右下（左から３番目で上から３番目）に配置されているテレビジョン受像機２１31が親機となっており、他の２台のテレビジョン受像機２２22，２２23が子機になっている。
【００７５】
図４で示される例において、裏面を向いているテレビジョン受像機のリモコン受光部３１22，３１23，３１31のうち、親機２１31のリモコン受光部３１31（左から３番目で上から３番目の黒の四角）が有効となることで、リモコン１２から送信されてくるリモコンコマンドを受信し、それ以外の、子機２２22のリモコン受光部３１22および子機２２23のリモコン受光部３１23のそれぞれが無効となることで、リモコン１２から送信されてくるリモコンコマンドを受信せずに、親機２１31から送信されてくるリモコンコマンドに従って動作する。
【００７６】
即ち、親機２１31は、リモコン受光部３１31でリモコン１２からのリモコンコマンドを受信し、受信したリモコンコマンドを、例えば、イーサーネットの規格に準拠したLANなどで接続された子機２２22，子機２２23に送信することで分配する。
【００７７】
なお、上述した例においては、表面を向いているテレビジョン受像機のうち、左下（左から１番目で上から３番目）に配置されたテレビジョン受像機２１11を親機として説明したが、それに限定されず、他の５台のテレビジョン受像機２２12，２２13，２２21，２２32，２２33のうちのいずれか１台が親機となるようにしてもよい。また、裏面を向いているテレビジョン受像機のうち、右下（左から３番目で上から３番目）に配置されたテレビジョン受像機２１31を親機として説明したが、それに限定されず、他の２台のテレビジョン受像機２２22，２２23のいずれか１台が親機となるようにしてもよい。
【００７８】
さらに、ディスプレイセット１１を構成するテレビジョン受像機の数は、９台に限定されるものではない。即ち、ディスプレイセット１１は、任意の複数台のテレビジョン受像機によって構成することが可能である。また、ディスプレイセット１１を構成するテレビジョン受像機の配置は、図２乃至図４に示したように、縦×横が、３×３に限定されるものではない。即ち、ディスプレイセット１１を構成するテレビジョン受像機の配置は、例えば、縦×横が、１×２、２×１、２×３などとすることも可能である。また、ディスプレイセット１１を構成するテレビジョン受像機の配置形状は、図２乃至図４にも示したように、格子状（マトリックス状）に限定されるものではなく、例えば、ピラミッド状などであってもよい。
【００７９】
即ち、ディスプレイセット１１は、任意の複数台のテレビジョン受像機を、縦と横のそれぞれに、任意の台数だけ配置して構成することができる。
【００８０】
さらに、ディスプレイセット１１を構成する親機２１ijのサフィックスは、その親機２１ijが、ディスプレイセット１１において、第ｉ列第ｊ行（左からｉ列目の、下からｊ行目）に配置されているものであることを表す。また、同様に、子機２２ijのサフィックスは、その子機２２ijが、ディスプレイセット１１において、第ｉ列第ｊ行（左からｉ列目の、下からｊ行目）に配置されているものであることを表し、リモコン受光部３１ijのサフィックスは、そのリモコン受光部３１ijが、ディスプレイセット１１において、第ｉ列第ｊ行（左からｉ列目の、下からｊ行目）に配置されているものであることを表す。
【００８１】
さらに、以下の説明においては、親機２１ijを個々に区別する必要がない場合、単に、親機２１と称する。また、子機２２ijを個々に区別する必要がない場合、単に、子機２２と称する。さらに、リモコン受光部３１ijを個々に区別する必要がない場合、単に、リモコン受光部３１と称する。
【００８２】
図５は、親機２１の構成の例を示すブロック図である。
【００８３】
親機２１は、リモコン受光部３１、コントローラ５１、バス５２、チューナ５３、復調部５４、エラー訂正処理部５５、デマルチプレクサ５６、ビデオデコーダ５７、表示部５８、オーディオデコーダ５９、スピーカ６０、入力部６１、および通信部６２を含むようにして構成される。リモコン受光部３１、コントローラ５１、チューナ５３、復調部５４、エラー訂正処理部５５、デマルチプレクサ５６、入力部６１、および通信部６２は、バス５２によって相互に接続される。
【００８４】
チューナ５３には、アンテナ（図示せず）によって受信された地上波や放送衛星からの電波などの放送電波に対応するテレビジョン放送信号（放送信号）が供給される。
【００８５】
チューナ５３は、コントローラ５１の制御に基づいて、アンテナから供給される複数のチャンネルの放送信号の中から、所定のチャンネル（周波数）の放送信号を選択し、その選択したチャンネルの放送信号を復調部５４に供給する。
【００８６】
復調部５４は、コントローラ５１の制御に基づいて、チューナ５３から供給される所定のチャンネルの放送信号を、例えば、QPSK(Quadrature Phase Shift Keying)復調等により復調し、復調の結果得られたデータをエラー訂正処理部５５に供給する。
【００８７】
エラー訂正処理部５５は、コントローラ５１の制御に基づいて、復調部５４から供給されたデータについて、所定のエラー訂正処理を行う。エラー訂正処理部５５は、所定のエラー訂正処理が施されたデータをデマルチプレクサ５６に供給する。
【００８８】
デマルチプレクサ５６は、コントローラ５１の制御に基づいて、エラー訂正処理部５５から供給されてくるデータを、必要に応じて、デスクランブル処理を行う。また、デマルチプレクサ５６は、コントローラ５１の制御に基づいて、エラー訂正処理部５５から供給されてくるデータのうち、画像データをビデオデコーダ５７に、音声データをオーディオデコーダ５９に、それぞれ供給する。
【００８９】
ビデオデコーダ５７は、デマルチプレクサ５６から供給された画像データを、例えば、MPEG-2（Moving Picture Experts Group phase 2）方式によりデコードし、デコードされた画像データを、例えば、LCD（Liquid Crystal Display）やCRT（Cathode Ray Tube）ディスプレイなどからなる表示部５８に供給して表示させる。
【００９０】
オーディオデコーダ５９は、デマルチプレクサ５６から供給された音声データを、例えば、MPEG-2方式によりデコードし、デコードされた音声データをスピーカ６０に供給して出力させる。
【００９１】
コントローラ５１は、親機２１の各部を制御する。
【００９２】
コントローラ５１は、図示せぬ、例えば、CPU（Central Processing Unit）、ROM（Read Only Memory）、RAM(Random Access Memory)、またはEEPROM(Electrically Erasable and Programmable ROM)などから構成される。CPUは、ROMやEEPROMに記憶されたプログラム、またはRAMにロードされたプログラムを実行する。ROMは、コントローラ５１に電源が供給されたときに、CPUが最初に実行すべきプログラムや必要なデータを記憶する。EEPROMは、CPUが実行する各種のアプリケーションプログラムや必要なデータを記憶する。RAMには、CPUが実行するアプリケーションプログラム、EEPROMからロードされ、また、CPUの動作上必要なデータが記憶される。
【００９３】
入力部６１は、例えば、スイッチボタンなどから構成され、視聴者が所望のチャンネルを選択する際の操作などを受け付け、その視聴者の操作に対応する操作信号をコントローラ５１に供給する。
【００９４】
リモコン受光部３１は、図３および図４のリモコン受光部３１に対応し、リモコン１２から送信される視聴者の操作に対応する、赤外線や電波による操作信号を受信（受光）し、受信した操作信号をコントローラ３１に供給する。
【００９５】
通信部６２は、コントローラ５１の制御に基づいて、子機２２との間の通信を制御し、データを子機２２に送信するとともに、子機２２からのデータを受信する。
【００９６】
なお、子機２２は、親機２１と同様に構成されるので、その記載および説明は省略する。また、親機２１および子機２２は、図５に示した内部構造に限らず、必要に応じて、機能を追加したり削除したりすることは可能であり、その機能に対応した構成を持つことが可能である。
【００９７】
図６は、親機２１の機能的構成例を示すブロック図である。
【００９８】
親機２１は、リモコン受光部３１、通信部６２、制御部１０１、受信状態履歴管理部１０２、およびアプリケーション処理部１０３から構成される。
【００９９】
リモコン受光部３１は、図３および図４のリモコン受光部３１に対応し、視聴者の操作によって、リモコン１２からリモコンコマンドを受信した場合、受信したリモコンコマンドを制御部１０１に供給する。
【０１００】
制御部１０１は、リモコン受光部３１から供給されてくるリモコンコマンドを、アプリケーション処理部１０３に供給する。
【０１０１】
また、制御部１０１は、受信状態履歴管理部１０２から、所定の時間内に受信したリモコン１２からのリモコンコマンドの数（以下、コマンド数と称する）をロードする。制御部１０１は、ロードしたコマンド数を通信部６２に供給する。
【０１０２】
制御部１０１は、位置情報取得部１１１、向き情報取得部１１２、分配元判定部１１３、モード制御部１１４、および向き情報付加部１１５を含むようにして構成される。
【０１０３】
位置情報取得部１１１は、ディスプレイセット１１における自分の位置を示す情報（以下、位置情報と称する）を取得する。位置情報取得部１１１は、取得した位置情報を、分配元判定部１１３または通信部６２のいずれかに供給する。
【０１０４】
向き情報取得部１１２は、ディスプレイセット１１において自分が表面と裏面のいずれか一方を向いていることを示す情報（以下、向き情報と称する）を取得する。向き情報取得部１１２は、取得した向き情報を、分配元判定部１１３、向き情報付加部１１５、または通信部６２のいずれかに供給する。
【０１０５】
分配元判定部１１３は、自分の位置情報および向き情報、並びに、通信部６２から供給された他のテレビジョン受像機の位置情報および向き情報を基に、リモコンコマンドの分配元（親機２１）となるか否かを判定する処理を行う。
【０１０６】
また、分配元判定部１１３は、自分のコマンド数および向き情報、並びに、通信部６２から供給された他のテレビジョン受像機のコマンド数および向き情報を基に、リモコンコマンドの分配元（親機２１）となるか否かを判定する処理を行う。
【０１０７】
モード制御部１１４は、分配元判定部１１３の判定結果を基に、自分（テレビジョン受像機）のモードを制御する。
【０１０８】
ここで、モードとは、ディスプレイセット１１に組み合わされたテレビジョン受像機が、親機２１または子機２２のどちらで動作しているかを示し、例えば、モードが“コマンド分配者モード”である場合、テレビジョン受像機は親機２１として動作し、一方、モードが“コマンド受信者モード”である場合、テレビジョン受像機は子機２２として動作する。
【０１０９】
向き情報付加部１１５は、向き情報取得部１１２から供給された向き情報を、リモコン受光部３１から供給されたリモコンコマンドに付加する。向き情報付加部１１５は、向き情報が付加されたリモコンコマンドを通信部６２に供給する。
【０１１０】
通信部６２は、図５の通信部６２に対応し、他のテレビジョン受像機（子機２１）と通信する。
【０１１１】
通信部６２は、各種のデータを送信する送信部１２１および各種のデータを受信する受信部１２２を含むようにして構成される。送信部１２１は、制御部１０１から供給されてくる位置情報および向き情報を、他のテレビジョン受像機（子機２２）に対して、ブロードキャストに送信する。また、受信部１２２は、他のテレビジョン受像機（子機２２）から送信されてくる位置情報および向き情報を受信する。受信部１２２は、受信した位置情報および向き情報を制御部１０１に供給する。
【０１１２】
さらに、送信部１２１は、制御部１０１から供給されてくる向き情報およびコマンド数を、他のテレビジョン受像機（子機２２）に対して、ブロードキャストに送信する。また、受信部１２２は、他のテレビジョン受像機（子機２２）から送信されてくるコマンド数および向き情報を受信する。受信部１２２は、受信したコマンド数および向き情報を制御部１０１に供給する。
【０１１３】
また、送信部１２１は、制御部１０１から供給されてくる向き情報が付加されたリモコンコマンドを、他のテレビジョン受像機（子機２２）に対して、ブロードキャストに送信する。
【０１１４】
なお、通信部６２は、他のテレビジョン受像機から送信されてくるデータとともに、そのテレビジョン受像機のIDなども受信するようにしてもよい。
【０１１５】
受信状態履歴管理部１０２は、制御部１０１の要求に応じて、自分が記憶している所定の時間内に受信したコマンド数を、制御部１０１に供給する。
【０１１６】
また、受信状態履歴管理部１０２は、制御部１０１の制御を基に、リモコン受光部３１がリモコンコマンドを受信した場合、自分が記憶しているコマンド数を新たにカウントアップして記憶する。
【０１１７】
アプリケーション処理部１０３は、制御部１０１から供給されてくるリモコンコマンドを基に、所定の処理を実行する。
【０１１８】
図７は、子機２２の機能的構成例を示すブロック図である。
【０１１９】
子機２２は、リモコン受光部３１、通信部６２、制御部１０１、受信状態履歴管理部１０２、およびアプリケーション処理部１０３から構成される。
【０１２０】
図６に示す場合と同様の部分には、同一の符号が付してあり、その説明は適宜省略する。
【０１２１】
通信部６２は、図５の通信部６２に対応し、他のテレビジョン受像機（親機２１または子機２２）と通信する。
【０１２２】
通信部６２は、各種のデータを送信する送信部１２１および各種のデータを受信する受信部１２２を含むようにして構成される。送信部１２１は、制御部１０１から供給されてくる位置情報および向き情報を、他のテレビジョン受像機（親機２１または子機２２）に対して、ブロードキャストに送信する。また、受信部１２２は、他のテレビジョン受像機（親機２１または子機２２）から送信されてくる位置情報および向き情報を受信する。受信部１２２は、受信した位置情報および向き情報を制御部１０１に供給する。
【０１２３】
さらに、送信部１２１は、制御部１０１から供給されてくる向き情報およびコマンド数を、他のテレビジョン受像機（親機２１または子機２２）に対して、ブロードキャストに送信する。また、受信部１２２は、他のテレビジョン受像機（親機２１または子機２２）から送信されてくるコマンド数および向き情報を受信する。受信部１２２は、受信したコマンド数および向き情報を制御部１０１に供給する。
【０１２４】
また、受信部１２２は、他のテレビジョン受像機（親機２１）からリモコンコマンドを受信した場合、受信したリモコンコマンドを制御部１０１に供給する。
【０１２５】
制御部１０１は、位置情報取得部１１１、向き情報取得部１１２、分配元判定部１１３、モード制御部１１４、および向き情報判定部１６１を含むようにして構成される。
【０１２６】
位置情報取得部１１１、向き情報取得部１１２、分配元判定部１１３、およびモード制御部１１４のそれぞれは、図６の位置情報取得部１１１、向き情報取得部１１２、分配元判定部１１３、およびモード制御部１１４にそれぞれ対応しており、その説明も適宜省略する。
【０１２７】
向き情報判定部１６１は、向き情報取得部１１２から供給された向き情報と、親機２１から送信されたリモコンコマンドであって、通信部６２から供給されたリモコンコマンドに付加された向き情報とを比較することで、親機２１が自分と同じ向きであるか否かを判定する。
【０１２８】
アプリケーション処理部１０３は、向き情報判定部１６１において、親機２１が自分と同じ向きであると判定された場合、制御部１０１から供給されてくるリモコンコマンドを基に、所定の処理を実行する
【０１２９】
ところで、上述したように、表側を向いているテレビジョン受像機と裏側を向いているテレビジョン受像機のそれぞれにおいて、有効となる親機２１のリモコン受光部３１と、無効となる子機２２のリモコン受光部３１が決定される。従って、以下、図８および図１０のフローチャートを参照して、有効となるリモコン受光部３１を有するテレビテレビジョン受像機、即ち、親機２１（リモコンコマンドの分配元）を決定するコマンド分配元決定の処理について説明する。
【０１３０】
なお、コマンド分配元決定の処理は、ディスプレイセット１１を構成する全てのテレビジョン受像機において同様の処理が行われるので、ここでは、その一例として、図４において、親機２１として動作しているテレビジョン受像機２１11において行われるコマンド分配元決定の処理について説明し、それ以外のテレビジョン受像機２２12乃至テレビジョン受像機２２33におけるコマンド分配元決定の処理の説明については省略する。
【０１３１】
まず、図８のフローチャートを参照して、テレビジョン受像機２１11によるコマンド分配元決定の処理について説明する。
【０１３２】
ステップＳ１１において、位置情報取得部１１１は、ディスプレイセット１１における自分の位置を示す情報である位置情報を取得する。位置情報取得部１１１は、取得した位置情報を通信部６２に供給する。例えば、ステップＳ１１において、位置情報取得部１１１は、自分が左下（例えば、図４の左から１番目で上から３番目）に配置されていることを示す位置情報を取得し、取得した位置情報を通信部６２に供給する。
【０１３３】
ステップＳ１２において、向き情報取得部１１２は、ディスプレイセット１１において自分が表面と裏面のいずれか一方を向いていることを示す情報である向き情報を取得する。向き情報取得部１１２は、取得した向き情報を通信部６２に供給する。例えば、ステップＳ１２において、向き情報取得部１１２は、自分が表面を向いていることを示す向き情報を取得し、取得した向き情報を通信部６２に供給する。
【０１３４】
なお、上述した位置情報および向き情報を取得する方法であるが、例えば、ディスプレイセット１１に設けられたセンサ（図示せず）によって、ディスプレイセット１１に組み合わされたテレビジョン受像機の位置や向きを検知して、テレビジョン受像機が位置情報および向き情報を取得する方法など、ディスプレイセット１１におけるテレビジョン受像機の位置や向きを、テレビジョン受像機が取得できる方法であればよい。
【０１３５】
ステップＳ１３において、通信部６２は、位置情報取得部１１１から供給された位置情報および向き情報取得部１１２から供給された向き情報を、他のテレビジョン受像機に対して、ブロードキャストに送信する。例えば、ステップＳ１３において、通信部６２は、位置情報取得部１１１から供給された、自分が左から１番目で上から３番目に配置されていることを示す位置情報および自分が表面を向いていることを示す向き情報を、テレビジョン受像機２２12，２２13，２２21，２２22，２２23，２２31，２２32，２２33のそれぞれに送信する。
【０１３６】
ステップＳ１４において、通信部６２は、他のテレビジョン受像機から送信されてくる位置情報および向き情報を受信する。通信部６２は、受信した位置情報および向き情報を分配元判定部１１３に供給する。
【０１３７】
図９は、他のテレビジョン受像機から送信されてくる位置情報および向き情報の一例を示す図である。
【０１３８】
図９で示される位置情報および向き情報の例において、１行目は項目を示し、２行目以降は他のテレビジョン受像機から送信されてくる位置情報および向き情報のデータを示す。また、１列目は“テレビジョン受像機名”、２列目は“位置情報”、３列目は“向き情報”を示す。即ち、図９で示される例において、他のテレビジョン受像機名に対応させて、位置情報と向き情報とが示されている。
【０１３９】
図９の上から２行目は、ディスプレイセット１１において、テレビジョン受像機２２12が左から１番目で上から２番目に配置され、その向きは表面を向いていることを示す。また、同様に、図９の上から３行目は、テレビジョン受像機２２13が左から１番目で上から１番目に配置され、その向きは表面を向いていることを示す。
【０１４０】
さらに、同様に、図９の上から４行目は、テレビジョン受像機２２21が左から２番目で上から３番目に配置され、その向きは表面を向いていることを示し、図９の上から５行目は、テレビジョン受像機２２22が左から２番目で上から２番目に配置され、その向きは裏面を向いていることを示し、図９の上から６行目は、テレビジョン受像機２２23が左から２番目で上から１番目に配置され、その向きは裏面を向いていることを示す。
【０１４１】
また、同様に、図９の上から７行目は、テレビジョン受像機２２31が左から３番目で上から３番目に配置され、その向きは裏面を向いていることを示し、図９の上から８行目は、テレビジョン受像機２２32が左から３番目で上から２番目に配置され、その向きは表面を向いていることを示し、図９の上から９行目は、テレビジョン受像機２２33が左から３番目で上から１番目に配置され、その向きは表面を向いていることを示す。
【０１４２】
図８のフローチャートに戻り、例えば、ステップＳ１４において、通信部６２は、テレビジョン受像機２２12，２２13，２２21，２２22，２２23，２２31，２２32，２２33のそれぞれから送信されてくる、位置情報および向き情報（図９）を受信し、受信した位置情報および向き情報（図９）を分配元判定部１１３に供給する。
【０１４３】
ステップＳ１５において、分配元判定部１１３は、自分の位置情報および向き情報、並びに、通信部６２から供給された他のテレビジョン受像機の位置情報および向き情報を基に、同一方向を向いているテレビジョン受像機のうち、自分が最も左側であるか否かを判定する。
【０１４４】
例えば、ステップＳ１５において、分配元判定部１１３は、ステップＳ１１およびステップＳ１２の処理で取得した、自分が左から１番目で上から３番目に配置されていることを示す位置情報および自分が表面を向いていることを示す向き情報と、ステップＳ１４の処理で受信した、他のテレビジョン受像機の位置情報および向き情報（図９）とを比較することで、同一方向を向いているテレビジョン受像機のうち、自分が最も左側であるか否かを判定する。
【０１４５】
ステップＳ１５において、同一方向を向いているテレビジョン受像機のうち、自分が最も左側であると判定された場合、ステップＳ１６に進み、分配元判定部１１３は、同一の列のテレビジョン受像機のうち、自分が最も下側であるか否かを判定する。
【０１４６】
例えば、ステップＳ１５において、テレビジョン受像機２１11は、表面を向いているテレビジョン受像機のうち、テレビジョン受像機２２12とテレビジョン受像機２２13と同様に、最も左側にあるテレビジョン受像機であるので、ステップＳ１６の処理に進む。
【０１４７】
なお、例えば、ステップＳ１５において、テレビジョン受像機２２31は、裏面を向いているテレビジョン受像機のうち、最も左側にあるテレビジョン受像機であるので、ステップＳ１６の処理に進む。
【０１４８】
ステップＳ１６において、同一の列のテレビジョン受像機のうち、自分が最も下側であると判定された場合、ステップＳ１７に進み、モード制御部１１４は、自分のモードを、リモコン１２からのリモコンコマンドを子機２２に分配する“コマンド分配者モード”に遷移させて、処理は終了する。
【０１４９】
例えば、ステップＳ１６において、テレビジョン受像機２１11は、表面を向いているテレビジョン受像機であって、最も左側にあるテレビジョン受像機のうち、自分がテレビジョン受像機２２12とテレビジョン受像機２２13よりも下側にあるので、ステップＳ１７に進み、自分のモードを、“コマンド分配者モード”に遷移させて、即ち、親機２１となって、処理は終了する。
【０１５０】
また、例えば、ステップＳ１６において、テレビジョン受像機２２31は、裏面を向いているテレビジョン受像機であって、最も左側にあるテレビジョン受像機のうち、自分が最も下側にあるので、ステップＳ１７に進み、自分のモードを、“コマンド分配者モード”に遷移させて、即ち、親機２１となって、処理は終了する。
【０１５１】
一方、ステップＳ１５において、同一方向を向いているテレビジョン受像機のうち、自分が最も左側でないと判定されたるか、またはステップＳ１６において、同一の列のテレビジョン受像機のうち、自分が最も下側でないと判定された場合、ステップＳ１８に進み、モード制御部１１４は、自分のモードを“コマンド受信者モード”に遷移させて、処理は終了する。
【０１５２】
例えば、テレビジョン受像機２２12，２２13，２２21，２２22，２２23，２２32，２２33のそれぞれは、同一方向を向いているテレビジョン受像機のうち、自分が最も左側にあって、かつ、同一の列のテレビジョン受像機のうち、自分が最も下側であるという条件を満たさないので、ステップＳ１８に進み、自分のモードを“コマンド受信者モード”に遷移させて、即ち、子機２２となって、処理は終了する。
【０１５３】
このように、親機２１として動作するテレビジョン受像機を、テレビジョン受像機の設置された位置と向きによって決定することができるので、例えば、ディスプレイセット１１の一部のテレビジョン受像機を回転させたり、取り外したりすることで、ディスプレイセット１１の表面と裏面との両面で視聴をする場合であっても、確実に、リモコン１２からのリモコンコマンドを受信することができるようになる。
【０１５４】
なお、図８のコマンド分配元決定の処理を実行するタイミングであるが、例えば、テレビジョン受像機が回転したり、取り外されたりした場合や、所定の時間が経過した場合など、任意のタイミングで実行することができる。
【０１５５】
ところで、図８のフローチャートにおいては、テレビジョン受像機の設置された位置によって、静的に親機２１（コマンド分配者モード）を決定する、コマンド分配元決定の処理について説明したが、親機２１を決定する方法は、その方法に限定されず、リモコン１２から受信したリモコンコマンドの数（コマンド数）によって、動的に決定することも可能である。
【０１５６】
従って、次に、図１０のフローチャートを参照して、コマンド数によって親機２１を決定する、テレビジョン受像機２１11によるコマンド分配元決定の処理について説明する。
【０１５７】
ステップＳ３１において、向き情報取得部１１２は、自分の向き情報を取得する。向き情報取得部１１２は、取得した向き情報を通信部６２に供給する。例えば、ステップＳ３１において、向き情報取得部１１２は、自分が表面を向いていることを示す向き情報を取得し、取得した向き情報を通信部６２に供給する。
【０１５８】
ステップＳ３２において、制御部１０１は、受信状態履歴管理部１０２から、所定の時間内に受信したコマンド数をロードする。制御部１０１は、ロードしたコマンド数を通信部６２に供給する。例えば、制御部１０１は、前回コマンド数をロードしてから１時間が経過した場合、受信状態履歴管理部１０２から、その１時間で受信したコマンド数として、“20”であるコマンド数をロードし、ロードしたコマンド数を通信部６２に供給する。
【０１５９】
即ち、この場合、テレビジョン受像機２１11は、コマンド分配者モード（親機２１）やコマンド受信者モード（子機２２）などのモードに関係なく、リモコン１２から送信されてくるリモコンコマンドを受信したか否かの受信状況をモニタリングし、リモコンコマンドを受信した場合、受信状態履歴管理部１０２に記憶されたコマンド数をカウントアップしている。
【０１６０】
ステップＳ３３において、通信部６２は、向き情報取得部１１２から供給された向き情報および制御部１０１から供給されたコマンド数を、他のテレビジョン受像機に対して、ブロードキャストに送信する。例えば、ステップＳ３３において、通信部６２は、自分が表面を向いていることを示す向き情報および制御部１０１から供給された“20”であるコマンド数を、テレビジョン受像機２２12，２２13，２２21，２２22，２２23，２２31，２２32，２２33のそれぞれに送信する。
【０１６１】
ステップＳ３４において、通信部６２は、他のテレビジョン受像機から供給されてくる位置情報およびコマンド数を受信する。通信部６２は、受信した位置情報およびコマンド数を分配元判定部１１３に供給する。
【０１６２】
図１１は、他のテレビジョン受像機から送信されてくるコマンド数および向き情報の一例を示す図である。
【０１６３】
図１１で示されるコマンド数および向き情報の例において、１行目は項目を示し、２行目以降は他のテレビジョン受像機から送信されてくるコマンド数および向き情報のデータを示す。また、１列目は“テレビジョン受像機名”、２列目は“コマンド数”、３列目は“向き情報”を示す。即ち、図１１で示される例において、他のテレビジョン受像機名に対応させて、コマンド数と向き情報とが示されている。
【０１６４】
図１１の上から２行目は、ディスプレイセット１１において、表面を向いているテレビジョン受像機２２12が、所定の時間内（１時間）にリモコンコマンドを10回受信したことを示す。また、同様に、図１１の上から３行目は、表面を向いているテレビジョン受像機２２13が、所定の時間内（１時間）にリモコンコマンドを5回受信したことを示す。
【０１６５】
さらに、同様に、図１１の上から４行目は、表面を向いているテレビジョン受像機２２21が、所定の時間内（１時間）にリモコンコマンドを14回受信したことを示し、図１１の上から５行目は、裏面を向いているテレビジョン受像機２２22が、所定の時間内（１時間）にリモコンコマンドを11回受信したことを示し、図１１の上から６行目は、裏面を向いているテレビジョン受像機２２23が、所定の時間内（１時間）にリモコンコマンドを3回受信したことを示す。
【０１６６】
また、同様に、図１１の上から７行目は、裏面を向いているテレビジョン受像機２２31が、所定の時間内（１時間）にリモコンコマンドを19回受信したことを示し、図１１の上から８行目は、表面を向いているテレビジョン受像機２２32が、所定の時間内（１時間）にリモコンコマンドを7回受信したことを示し、図１１の上から９行目は、表面を向いているテレビジョン受像機２２33が、所定の時間内（１時間）にリモコンコマンドを9回受信したことを示す。
【０１６７】
図１０のフローチャートに戻り、例えば、ステップＳ３４において、通信部６２は、テレビジョン受像機２２12，２２13，２２21，２２22，２２23，２２31，２２32，２２33のそれぞれから送信されてくる、コマンド数および向き情報（図１１）を受信し、受信したコマンド数および向き情報（図１１）を分配元判定部１１３に供給する。
【０１６８】
ステップＳ３５において、分配元判定部１１３は、自分のコマンド数および向き情報、並びに、通信部６２から供給された他のテレビジョン受像機のコマンド数および向き情報を基に、同一方向を向いているテレビジョン受像機のうち、自分が最も受信したコマンド数が多いか否かを判定する。
【０１６９】
例えば、ステップＳ３５において、分配元判定部１１３は、ステップＳ３１およびステップＳ３２の処理で取得した、自分が表面を向いていることを示す向き情報および“20”であるコマンド数と、他のテレビジョン受像機のコマンド数および向き情報（図１１）とを比較することで、同一方向を向いているテレビジョン受像機のうち、自分が最も受信したコマンド数が多いか否かを判定する。
【０１７０】
ステップＳ３５において、同一方向を向いているテレビジョン受像機のうち、自分が最も受信したコマンド数が多いと判定された場合、ステップＳ３６に進み、モード制御部１１４は、自分のモードを、リモコン１２からのリモコンコマンドを子機２２に分配する“コマンド分配者モード”に遷移させる。
【０１７１】
例えば、ステップＳ３５において、テレビジョン受像機２１11は、表面を向いているテレビジョン受像機２１11，２２12，２２13，２２21，２２32，２２33の中で、所定の時間内（１時間）にリモコンコマンドを20回受信し、最も受信したコマンド数が多いので、ステップＳ３６に進み、自分のモードを、“コマンド分配者モード”に遷移させて、親機２１となる。
【０１７２】
ステップＳ３７において、受信状態履歴管理部１０２は、自分が受信したコマンド数をカウントする。例えば、テレビジョン受像機２１11のリモコン受光部３７は、表面を向いているテレビジョン受像機に向かって、視聴者がリモコン１２のチャンネル変更ボタンを押下した場合に、リモコン１２から “チャンネル変更”を示すリモコンコマンドを受信できたとき、受信したそのリモコンコマンドを制御部１０１に供給する。制御部１０１は、受信した“チャンネル変更”を示すリモコンコマンドに応じた処理を実行するとともに、受信状態履歴管理部１０２にリモコンコマンドを受信したことを通知することで、受信状態履歴管理部１０２がコマンド数をカウントする。
【０１７３】
ステップＳ３８において、受信状態履歴管理部１０２は、例えば、所定の時間を経過した場合など、所定のタイミングとなったか否かを判定する。
【０１７４】
ここで、更新指示とは、“コマンド分配者モード”であるモードで動作しているテレビジョン受像機（親機２１）が、“コマンド受信者モード”で動作しているテレビジョン受像機（子機２２）に対して送信する、リモコン１２から受信したコマンド数によって、コマンド分配元である親機２１を決定する処理（図１０のコマンド分配元決定の処理）を実行させる指示である。即ち、更新指示が送信されるタイミングで、コマンド数を最も多く受信したテレビジョン受像機が、親機２１となる。換言すれば、コマンド数に基づいて、親機２１となるテレビジョン受像機が、動的に変化しているとも言える。
【０１７５】
ステップＳ３８において、所定の時間が経過していないと判定された場合、ステップＳ３７に戻り、上述した処理が繰り返される。即ち、テレビジョン受像機２１11は、所定の時間が経過するまで、リモコン１２から送信されてくるリモコンコマンドをカウントし続ける。
【０１７６】
一方、ステップＳ３８において、所定の時間が経過したと判定された場合、ステップＳ３９に進み、受信状態履歴管理部１０２は、制御部１０１を介して、通信部６２に、他のテレビジョン受像機（子機２２）に対して、更新指示をブロードキャストに送信させて、ステップＳ３１に戻り、上述した処理が繰り返される。
【０１７７】
また、ステップＳ３５において、同一方向を向いているテレビジョン受像機のうち、自分が受信したコマンド数が最も多くないと判定された場合、ステップＳ４０に進み、モード制御部１１４は、自分のモードを“コマンド受信者モード”に遷移させる。
【０１７８】
例えば、ステップＳ３５において、テレビジョン受像機２２12，２２13，２２21，２２32，２２33は、表面を向いているテレビジョン受像機２１11，２２12，２２13，２２21，２２32，２２33の中で、所定の時間内（１時間）に受信したリモコンコマンドが20回未満であるので、ステップＳ３６に進み、自分のモードを、“コマンド受信者モード”に遷移させて、子機２２となる。
【０１７９】
ステップＳ４１において、受信状態履歴管理部１０２は、自分が受信したコマンド数をカウントする。例えば、テレビジョン受像機２２12，２２13，２２21，２２32，２２33のそれぞれのリモコン受光部３７は、表面を向いているテレビジョン受像機に向かって、視聴者がリモコン１２のチャンネル変更ボタンを押下した場合に、リモコン１２から “チャンネル変更”を示すリモコンコマンドを受信できたとき、受信したそのリモコンコマンドをそれぞれ制御部１０１に供給する。テレビジョン受像機２２12，２２13，２２21，２２32，２２33のそれぞれの制御部１０１は、受信した“チャンネル変更”を示すリモコンコマンドに応じた処理を実行するとともに、それぞれの受信状態履歴管理部１０２にリモコンコマンドを受信したことを通知することで、それぞれの受信状態履歴管理部１０２がコマンド数をカウントする。
【０１８０】
ステップＳ４２において、受信状態履歴管理部１０２は、更新指示を受信したか否かを判定する。例えば、受信状態履歴管理部１０２は、親機２１から送信されてくる更新指示であって、制御部１０１を介して、通信部６２から供給されてくる更新指示を基に、更新指示を受信したか否かを判定する。
【０１８１】
ステップＳ４２において、更新指示を受信していないと判定された場合、ステップＳ４１に戻り、上述した処理が繰り返される。即ち、テレビジョン受像機２１11は、更新指示を受信するまで、リモコン１２から送信されてくるリモコンコマンドをカウントし続ける。
【０１８２】
一方、ステップＳ４２において、更新指示を受信したと判定された場合、ステップＳ３１に戻り、上述した処理が繰り返される。即ち、テレビジョン受像機２１11は、親機２１から更新指示を受信したので、リモコン１２から受信したコマンド数によって、コマンド分配元である親機２１を決定する処理（図１０のコマンド分配元決定の処理）を再度実行して、グループの中でどのテレビジョン受像機を親機２１とするかを決定する。
【０１８３】
このように、過去単位時間内のリモコン１２から送信されたリモコンコマンドの受信状況をモニタリングし、その結果最も受信状態の良いテレビジョン受像機を親機２１に決定するので、視聴者が視聴位置を変更することで、リモコンコマンドの受信状況が変化する場合であっても、確実に、リモコン１２からの指示を受け付けることができる。
【０１８４】
なお、図８乃至図１１におけるコマンド分配元を決定する処理の説明においては、説明を分かり易くするために、親機２１であるテレビジョン受像機２１11によるコマンド分配元決定の処理を例にして説明したが、子機２２であるテレビジョン受像機においても同様の処理が行われる。即ち、図８および図１０のコマンド分配元決定の処理において、親機２１の位置情報取得部１１１、向き情報得取得部１１２、分配元判定部１１３、およびモード制御部１１４のそれぞれが行う処理を、子機２２の位置情報取得部１１１、向き情報得取得部１１２、分配元判定部１１３、およびモード制御部１１４のそれぞれが行うことになる。
【０１８５】
次に、図１２のフローチャートを参照して、親機２１による、コマンド分配の処理について説明する。
【０１８６】
ステップＳ５１において、制御部１０１は、リモコン１２からリモコンコマンドを受信したか否かを判定する。例えば、制御部１０１は、リモコン１２から送信されたリモコンコマンドであって、リモコン受光部３１から供給されたリモコンコマンドを基に、リモコン１２からリモコンコマンドを受信したか否かを判定する。
【０１８７】
ステップＳ５１において、リモコンコマンドを受信していないと判定された場合、ステップＳ５１に戻り、上述した処理が繰り返される。即ち、親機２１は、リモコン１２からリモコンコマンドを受信するまで待機している。
【０１８８】
一方、ステップＳ５１において、リモコンコマンドを受信したと判定された場合、ステップＳ５２に進み、向き情報取得部１１２は、自分の向き情報を取得する。向き情報取得部１１２は、取得した向き情報を向き情報付加部１１５に供給する。例えば、ステップＳ５２において、向き情報取得部１１２は、自分が表面を向いていることを示す向き情報を取得し、取得した向き情報を向き情報付加部１１５に供給する。
【０１８９】
また、リモコン受光部３１は、リモコン１２からリモコンコマンドを受信した場合、受信したリモコンコマンドを制御部１０１に供給する。さらに、制御部１０１は、リモコン受光部３１から供給されたリモコンコマンドをアプリケーション処理部１０３に供給する。
【０１９０】
例えば、リモコン受光部３１は、表面を向いているテレビジョン受像機に向かって、視聴者がリモコン１２のチャンネル変更ボタンを押下した場合、リモコン１２から“チャンネル変更”を示すリモコンコマンドを受信し、受信したそのリモコンコマンドを制御部１０１に供給する。また、制御部１０１は、リモコン受光部３１から供給された“チャンネル変更”を示すリモコンコマンドをアプリケーション処理部１０３に供給する。
【０１９１】
ステップＳ５３において、向き情報付加部１１５は、向き情報取得部１１２から供給された向き情報を、リモコン受光部３１から供給されたリモコンコマンドに付加する。向き情報付加部１１５は、向き情報が付加されたリモコンコマンドを通信部６２に供給する。
【０１９２】
図１３は、向き情報が付加されたリモコンコマンドの例を示す図である。
【０１９３】
図１３で示される例において、上側は向き情報が付加される前のリモコンコマンドを示し、下側は向き情報が付加された後のリモコンコマンドを示す。
【０１９４】
図１３の下側のリモコンコマンドには、向き情報として、表裏フラグが付加されている。ここで表裏フラグとは、表面または裏面のいずれか一方を向いていることを示すフラグである。例えば、表裏フラグは、“０”または“１”を示すビットとして付加することができ、自分が表面を向いている場合には、“０”および“１”であるビットのうちの、“０”であるビットをリモコンコマンドに付加し、一方、自分が裏面を向いている場合には、“０”および“１”であるビットのうちの、“１”であるビットをリモコンコマンドに付加する。
【０１９５】
なお、表裏フラグは、リモコンコマンドに付加する向き情報の一例である。
【０１９６】
図１２のフローチャートに戻り、例えば、ステップＳ５３において、向き情報付加部１１５は、向き情報取得部１１２から供給された自分が表面を向いていることを示す向き情報およびリモコン受光部３１から供給された“チャンネル変更”を示すリモコンコマンドを基に、表面を示す表裏フラグを“チャンネル変更”を示すリモコンコマンドに付加し、その表裏フラグが付加されたリモコンコマンドを通信部６２に供給する。
【０１９７】
ステップＳ５４において、通信部６２は、向き情報付加部１１５から供給された向き情報が付加されたリモコンコマンドを、他のテレビジョン受像機（子機２２）に対して、ブロードキャストに送信する。
【０１９８】
例えば、テレビジョン受像機２１11（親機２１11）の通信部６２は、向き情報付加部１１５から供給された、表面を示す表裏フラグが付加された“チャンネル変更”のリモコンコマンドを、テレビジョン受像機２２12，２２13，２２21，２２22，２２23，２２31，２２32，２２33のそれぞれに送信する。
【０１９９】
ステップＳ５５において、アプリケーション処理部１０３は、制御部１０１から供給されたリモコンコマンドを実行して、ステップＳ５１に戻り、上述した処理が繰り返される。
【０２００】
例えば、ステップＳ５５において、アプリケーション処理部１０３は、制御部１０１から供給された、“チャンネル変更”を示すリモコンコマンドに従って、チューナ５３が選択する放送信号を、視聴者の所望のチャンネルに変更させて、表示部５８に表示される番組を変更する。
【０２０１】
このように、親機２１は、リモコン１２から送信されてくるリモコンコマンドに対して向き情報を付加し、向き情報が付加されたリモコンコマンドを子機２２に送信することができるので、子機２２は、付加された向き情報に基づいて、受信したリモコンコマンドのうち、自分と同じ向きを向いている親機２１からのリモコンコマンドのみを解釈して実行すればよい。その結果、子機２２は、確実に、リモコン１２からのリモコンコマンドを実行することができるようになる。
【０２０２】
次に、図１４のフローチャートを参照して、子機２２による、コマンド受信の処理について説明する。
【０２０３】
ステップＳ７１において、制御部１０１は、親機２１からリモコンコマンドを受信したか否かを判定する。例えば、制御部１０１は、親機２１から送信されたリモコンコマンドであって、通信部６２から供給されたリモコンコマンドを基に、親機２１からリモコンコマンドを受信したか否かを判定する。
【０２０４】
ステップＳ７１において、リモコンコマンドを受信していないと判定された場合、ステップＳ７１に戻り、上述した処理が繰り返される。即ち、子機２２は、親機２１からリモコンコマンドを受信するまで待機している。
【０２０５】
ステップＳ７１において、リモコンコマンドを受信したと判定された場合、ステップＳ７２に進み、向き情報取得部１１２は、自分の向き情報を取得する。向き情報取得部１１２は、取得した向き情報を向き情報判定部１６１に供給する。例えば、ステップＳ７２において、向き情報取得部１１２は、自分が表面を向いていることを示す向き情報を取得し、取得した向き情報を向き情報判定部１６１に供給する。
【０２０６】
また、通信部６２は、親機２１からリモコンコマンドを受信した場合、受信したリモコンコマンドを制御部１０１に供給する。さらに、制御部１０１は、通信部６２から供給されたリモコンコマンドをアプリケーション処理部１０３に供給する。
【０２０７】
例えば、通信部６２は、表面を向いているテレビジョン受像機に向かって、視聴者がリモコン１２のチャンネル変更ボタンを押下した場合、親機２１から、表面を示す表裏フラグが付加された“チャンネル変更”を示すリモコンコマンドを受信し、受信したそのリモコンコマンドを制御部１０１に供給する。また、制御部１０１は、通信部６２から供給された、表面を示す表裏フラグが付加された“チャンネル変更”を示すリモコンコマンドをアプリケーション処理部１０３に供給する。
【０２０８】
ステップＳ７３において、向き情報判定部１６１は、向き情報取得部１１２から供給された向き情報と、通信部６２から供給されたリモコンコマンドに付加された向き情報とを比較することで、親機２１が自分と同じ向きであるか否かを判定する。
【０２０９】
ステップＳ７３において、親機２１が自分と同じ向きであると判定された場合、ステップＳ７４に進み、アプリケーション処理部１０３は、制御部１０１から供給されたリモコンコマンドを実行して、ステップＳ７１に戻り、上述した処理が繰り返される。
【０２１０】
例えば、図４のディスプレイセット１１のテレビジョン受像機２１11（親機２１11）と同じ表面を向いている、テレビジョン受像機２２12，２２13，２２21，２２32，２２33の場合、ステップＳ７３において、向き情報判定部１６１は、向き情報取得部１１２から供給された、自分が表面を向いていることを示す向き情報と、通信部６２から供給された、“チャンネル変更”を示すリモコンコマンドに付加された表面を示す表裏フラグ（向き情報）とを比較することで、親機２１が自分と同じ向きであるので、ステップＳ７４に進み、アプリケーション処理部１０３は、制御部１０１から供給された、“チャンネル変更”を示すリモコンコマンドに従って、チューナ５３が選択する放送信号を、視聴者の所望のチャンネルに変更させて、表示部５８に表示される番組を変更する。
【０２１１】
一方、ステップＳ７３において、親機２１が自分と同じ向きでないと判定された場合、自分とは逆を向いているテレビジョン受像機へのリモコンコマンドであり、リモコンコマンドを実行する必要がないので、ステップＳ７１に戻り、上述した処理が繰り返される。
【０２１２】
例えば、図４のディスプレイセット１１のテレビジョン受像機２１11（親機２１11）と反対の裏面を向いている、テレビジョン受像機２２22，２２23，２２31の場合、ステップＳ７３において、向き情報判定部１６１は、向き情報取得部１１２から供給された、自分が裏面を向いていることを示す向き情報と、通信部６２から供給された、“チャンネル変更”を示すリモコンコマンドに付加された表面を示す表裏フラグ（向き情報）とを比較することで、親機２１が自分と同じ方向を向いていないので、“チャンネル変更”を示すリモコンコマンドを実行せずに、ステップＳ７１に戻り、上述した処理が繰り返される。
【０２１３】
即ち、子機２２は、リモコン１２から送信されてくるコマンドを実行する場合、親機２１（コマンド分配元）によって付加された向き情報に基づいて、自分が実行すべきコマンドであるか否かを判定することになる。
【０２１４】
次に、図１５を参照して、リモコン１２、親機２１、および子機２２の間で送受信されるリモコンコマンドについて説明する。
【０２１５】
図１５で示される例において、視聴者がリモコン１２のボタンを押下した場合、親機２１は、リモコン１２から送信されてくる、視聴者の操作に応じたリモコンコマンドを受信し、受信したリモコンコマンドに対して、自分の向きを示す表裏フラグ（向き情報）を付加し、表裏フラグが付加されたリモコンコマンドを子機２２に送信する（例えば、親機２１によるコマンド分配の処理（図１２））。
【０２１６】
子機２２は、親機２１から送信されてくる表裏フラグが付加されたリモコンコマンドを基に、親機２１と向きが同一であるか否かを判定し、親機２１と向きが同一である場合、親機２１から送信されてくるリモコンコマンドに応じた処理を実行し、一方、親機２１と向きが異なる場合、親機２１から送信されてくるリモコンコマンドは実行しない（例えば、子機２２によるコマンド受信の処理（図１４））。
【０２１７】
このように、子機２２は、親機２１から送信されてくる向き情報が付加されたリモコンコマンドを受信した場合、付加された向き情報に基づいて、受信したリモコンコマンドのうち、自分と同じ向きを向いている親機２１からのリモコンコマンドのみを解釈して実行すればよい。その結果、子機２２は、確実に、リモコン１２からのリモコンコマンドを実行することができるようになる。
【０２１８】
また、上述した以外でも、ディスプレイセット１１を両面で視聴する場合に、例えば、赤外線などの正面から信号を受光する必要のある信号媒体を使用することで、視聴者から見て裏向き（裏面）になっているテレビジョン受像機は、リモコンコマンドを受信することができずに、視聴者に対して正面（表面）を向いているテレビジョン受像機のみがリモコンコマンドを受信することが可能となる。
【０２１９】
即ち、この場合、上述した例とは異なり、ディスプレイセット１１に組み合わされたテレビジョン受像機の中で、親機２１と子機２２のような関係はなく、全てのテレビジョン受像機において、リモコン受光部３１が有効となる。
【０２２０】
図１６は、リモコン受光部３１を設けたディスプレイセット１１の例を示す図である。
【０２２１】
図１６の、縦×横が、３×３台のテレビジョン受像機が組み合わされたディスプレイセット１１において、左側（左から１番目の列）の３×１台のテレビジョン受像機、中央（左から２番目の列）の３×１台のテレビジョン受像機、右側（左から３番目の列）の３×１台のテレビジョン受像機のそれぞれを、ユニット１１−１、ユニット１１−２、ユニット１１−３とした場合、ユニット１１−１、ユニット１１−２、ユニット１１−３のそれぞれは、自分自身が回転することで裏面を向くことが可能となる。
【０２２２】
また、テレビジョン受像機のそれぞれは、リモコン受光部３１によって、リモコン１２から送信されてくるリモコンコマンドを受信することが可能となる。具体的には、ユニット１１−１において、３台のテレビジョン受像機のそれぞれのリモコン受光部３１11，３１12，３１13の全てが有効となり、リモコン１２から送信されてくるリモコンコマンドを受信可能となる。また、同様に、ユニット１１−２においては、リモコン受光部３１21，３１22，３１23の全てが有効となり、ユニット１１−３においては、リモコン受光部３１31，３１32，３１33の全てが有効となることで、リモコン１２から送信されてくるリモコンコマンドが受信可能となる。
【０２２３】
例えば、ディスプレイセット１１において、ユニット１１−２を回転させて、視聴者から見て裏向き（裏面）にした場合、視聴者がリモコン１２を操作して、視聴者に対して正面（表面）を向いているユニット１１−１およびユニット１１−３に対して、リモコンコマンドを送信したとき、赤外線などの正面から受光する必要のある信号媒体を使用することで、裏向き（裏面）のユニット１１−２のテレビジョン受像機は、リモコンコマンドを受信することができないので、リモコンコマンドに応じた処理を実行しないことになる。
【０２２４】
すなわち、この場合、視聴者に対して正面（表面）を向いているユニット１１−１およびユニット１１−３のテレビジョン受像機のみが、リモコンコマンドを受信して、リモコンコマンドに応じた処理を実行することになる。
【０２２５】
このように、リモコン１２からのリモコンコマンドを、赤外線などの正面から信号を受光する必要のある信号媒体を介して送信するとともに、リモコン受光部３１を全て有効にすることで、より簡単な処理で、リモコン１２からの指示を受け付けることができる
【０２２６】
以上のように、本発明によれば、確実に、視聴者の操作に応じたリモコン１２からのリモコンコマンドを受信するとともに、受信したリモコンコマンドを実行することができる。
【０２２７】
また、同一方向を向いているテレビジョン受像機のうち、親機２１のリモコン受光部３１で受信したリモコンコマンドを、子機２２に転送して処理を行うので、各テレビジョン受像機間のリモコンコマンドの受信状態に差（ばらつき）が発生せず、同一方向を向いている全てのテレビジョン受像機において、確実に、リモコンコマンドに応じた同様の処理を実行することができる。
【０２２８】
さらに、ディスプレイセット１１に組み合わされたテレビジョン受像機のうちの、どのテレビジョン受像機のリモコン受光部３１を使用するかを、例えば、テレビジョン受像機が設置された位置やコマンド数などによって決定することができるので、リモコンコマンドの受信漏れをより少なくすることができる。
【０２２９】
なお、上述した例においては、ディスプレイセット１１において、位置情報を基に親機２１を決定する場合、左下（左から１番目で上から３番目）に配置されているテレビジョン受像機２１11を親機２１にするとして説明したが、それに限らず、例えば、右下（左から３番目で上から３番目）に配置されているテレビジョン受像機２１31を親機２１にするようにしてもよい。
【０２３０】
また、上述した例においては、親機２１となるテレビジョン受像機は、１台であるとして説明したが、それに限らず、例えば、２台を親機２１にするなど、複数台の親機２１によって、リモコンコマンドを受信するようにしてもよい。
【０２３１】
さらに、コマンド分配者モード（親機２１）で動作するテレビジョン受像機を決定する方法として、上述した例においては、テレビジョン受像機の設置された位置によって決定する方法と、テレビジョン受像機が受信したリモコンコマンドの数によって決定する方法の２つの方法について説明したが、例えば、親機２１が視聴者の操作によって手動で決定されるようにしてもよい。
【０２３２】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２３３】
図１７は、上述した一連の処理をプログラムにより実行するパーソナルコンピュータの構成の例を示すブロック図である。CPU（Central Processing Unit）２０１は、ROM２０２、または記録部２０８に記録されているプログラムに従って各種の処理を実行する。RAM２０３には、CPU２０１が実行するプログラムやデータなどが適宜記憶される。これらのCPU２０１、ROM２０２、およびRAM２０３は、バス２０４により相互に接続されている。
【０２３４】
CPU２０１にはまた、バス２０４を介して入出力インタフェース２０５が接続されている。入出力インタフェース２０５には、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果得られた画像等を出力部２０７に出力する。
【０２３５】
入出力インタフェース２０５に接続されている記録部２０８は、例えばハードディスクなどで構成され、CPU２０１が実行するプログラムや各種のデータを記録する。通信部２０９は、インターネット、その他のネットワークを介して外部の装置と通信する。この例の場合、通信部２０９は、入力画像を取得するか、または出力画像を出力する、外部とのインタフェースとして動作する。
【０２３６】
また、通信部２０９を介してプログラムを取得し、記録部２０８に記録してもよい。
【０２３７】
入出力インタフェース２０５に接続されているドライブ２１０は、磁気ディスク２２１、光ディスク２２２、光磁気ディスク２２３、または半導体メモリ２２４などが装着されたとき、それらを駆動し、そこに記録されているプログラムやデータなどを取得する。取得されたプログラムやデータは、必要に応じて記録部２０８に転送され、記録される。
【０２３８】
一連の処理をさせるプログラムが格納されている記録媒体は、図１７に示すように、コンピュータとは別に、視聴者にプログラムを提供するために配布される、プログラムが記録されている磁気ディスク２２１（フレキシブルディスクを含む）、光ディスク２２２（CD-ROM(Compact Disc-Read Only Memory)、DVD(Digital Versatile Disc)を含む）、光磁気ディスク２２３（MD(Mini-Disc)（商標）を含む）、若しくは半導体メモリ２２４などよりなるパッケージメディアにより構成されるだけでなく、コンピュータに予め組み込まれた状態で視聴者に提供される、プログラムが記録されているROM２０２や、記録部２０８に含まれるハードディスクなどで構成される。
【０２３９】
なお、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０２４０】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２４１】
さらに、本明細書において、システムとは、複数の装置により構成される装置全体を表すものである。
【図面の簡単な説明】
【０２４２】
【図１】ディスプレイセットの外観を示す図である。
【図２】表面と裏面を向いているテレビジョン受像機のグループ分けについて説明する図である。
【図３】ディスプレイセットを構成するテレビジョン受像機が全て表面を向いている場合の親機と子機との関係について説明する図である。
【図４】ディスプレイセットを構成するテレビジョン受像機のうち、一部のテレビジョン受像機が裏側を向いている場合の親機と子機との関係について説明する図である。
【図５】親機の構成の例を示すブロック図である。
【図６】親機の機能的構成例を示すブロック図である。
【図７】子機の機能的構成例を示すブロック図である。
【図８】コマンド分配元決定の処理を説明するフローチャートである。
【図９】他のテレビジョン受像機から送信されてくる位置情報および向き情報の一例を示す図である。
【図１０】コマンド分配元決定の処理を説明するフローチャートである。
【図１１】他のテレビジョン受像機から送信されてくるコマンド数および向き情報の一例を示す図である。
【図１２】コマンド分配の処理について説明するフローチャートである。
【図１３】向き情報が付加されたリモコンコマンドの例を示す図である。
【図１４】コマンド受信の処理について説明するフローチャートである。
【図１５】リモコン、親機、および子機の間で送受信されるリモコンコマンドについて説明する図である。
【図１６】リモコン受光部を設けたディスプレイセットの例を示す図である。
【図１７】本発明を適用したコンピュータの一実施の形態の構成例を示すブロック図である。
【符号の説明】
【０２４３】
１１  ディスプレイセット，  １２  リモコン，  ２１  親機，  ２２  子機，  ３１  リモコン受光部，  ５１  コントローラ，  ５３  チューナ，  ５４  復調部，  ５５  エラー訂正処理部，  ５６  デマルチプレクサ，  ５７  ビデオデコーダ，  ５８  表示部，  ５９  オーディオデコーダ，  ６０  スピーカ，  ６１  入力部，  ６２  通信部，  １０１  制御部，  １０２  受信状態履歴管理部，  １０３  アプリケーション処理部，  １１１  位置情報取得部，  １１２  向き情報取得部，  １１３  分配元判定部，  １１４  モード制御部，  １１５  向き情報付加部，  １２１  送信部，  １２２  受信部，  １６１  向き情報判定部，  ２０１  CPU，  ２０６  入力部，  ２０７  出力部，  ２０８  記録部，  ２０９  通信部，  ２１０  ドライブ，  ２２１  磁気ディスク，  ２２２  光ディスク，  ２２３  光ディスク，  ２２４  半導体メモリ
【図１】
2006311363.tif 000003
【図２】
2006311363.tif 000004
【図３】
2006311363.tif 000005
【図４】
2006311363.tif 000006
【図５】
2006311363.tif 000007
【図６】
2006311363.tif 000008
【図７】
2006311363.tif 000009
【図８】
2006311363.tif 000010
【図９】
2006311363.tif 000011
【図１０】
2006311363.tif 000012
【図１１】
2006311363.tif 000013
【図１２】
2006311363.tif 000014
【図１３】
2006311363.tif 000015
【図１４】
2006311363.tif 000016
【図１５】
2006311363.tif 000017
【図１６】
2006311363.tif 000018
【図１７】
2006311363.tif 000019